(57)【特許請求の範囲】
【請求項１】
ベース部材と、可動部材と、付勢部材とを備え、ベース部材は、窓枠への固定部を有しており、可動部材は、ベース部材に対して見込方向に摺動自在に取り付けてあって、網戸を係止する係止部と、網戸室内側見付面よりも室内側に延出する内側操作部とを有しており、付勢部材は、可動部材を見込方向に付勢しており、網戸を閉めると、付勢部材の付勢力に逆らって、係止部と付勢部材が網戸框の戸先側に設けた溝に呑み込まれて網戸を係止し、かつ内側操作部が、網戸框の戸先に対向する位置から、網戸框と窓枠の間の隙間を通って室内側に延出するものであり、可動部材を付勢方向と逆方向に摺動させると、係止部の係止が解除されることを特徴とする網戸ロック部品。
【請求項２】
窓枠と、網戸と、請求項１記載の網戸ロック部品とを備え、網戸ロック部品の固定部を窓枠に固定してあることを特徴とするサッシ。
【発明の詳細な説明】
【技術分野】
【０００１】
本発明は、網戸をロックして網戸の自走を防ぐ網戸ロック部品及びこれを備えるサッシに関する。
【背景技術】
【０００２】
持ち出し網戸は、ビル用のサッシに多く用いられるものであり、窓枠の室外側に持ち出して取り付けるものである。このような持ち出し網戸については、特に風が強い高層階において、網戸が風にあおられて自走する場合があった。これを防ぐために、従来、アングル材を用いて網戸と窓枠とをネジ止めしていたが、これでは任意に開閉することができなくなってしまう。そこで最近では、図８に示すようなロック装置を備える持ち出し網戸も用いられている。このロック装置は、網戸２１０の縦框２１１に取り付けた鉤状のロック部２０１と、窓枠２００に取り付けた同じく鉤状のロック受部２０２からなり、ロック部２０１は、室内側と室外側に設けた操作部２０３，２０４を操作することで上下動可能である。網戸２１０を閉めてから操作部２０３，２０４を操作してロック部２０１を下げると、ロック部２０１がロック受部２０２に係合して網戸２１０が自走するのを防ぐことができる。そして、ロック部２０１を上げて係合を解除すれば、網戸２１０を任意に開閉できる。
【発明の概要】
【発明が解決しようとする課題】
【０００３】
しかしながら、このロック装置は手動で操作を行うものであるから、網戸を閉めた後にロック装置の操作をし忘れて、網戸が自走してしまう場合があった。また、網戸自体にロック部を取り付けるための加工が必要であり、既設の網戸に後付けすることはできなかった。
【０００４】
本発明は、上記事情を鑑みたものであり、網戸を閉めることで自動的に網戸をロックするものであり、かつ既設のサッシに後付けすることが容易な網戸ロック部品及びこれを備えるサッシを提供することを目的とする。
【課題を解決するための手段】
【０００５】
本発明のうち請求項１の発明は、ベース部材と、可動部材と、付勢部材とを備え、ベース部材は、窓枠への固定部を有しており、可動部材は、ベース部材に対して見込方向に摺動自在に取り付けてあって、網戸を係止する係止部と、網戸室内側見付面よりも室内側に延出する内側操作部とを有しており、付勢部材は、可動部材を見込方向に付勢しており、網戸を閉めると、付勢部材の付勢力に逆らって、係止部と付勢部材が網戸框の戸先側に設けた溝に呑み込まれて網戸を係止し、かつ内側操作部が、網戸框の戸先に対向する位置から、網戸框と窓枠の間の隙間を通って室内側に延出するものであり、可動部材を付勢方向と逆方向に摺動させると、係止部の係止が解除されることを特徴とする。
【０００７】
本発明のうち請求項２の発明は、窓枠と、網戸と、請求項１記載の網戸ロック部品とを備え、網戸ロック部品の固定部を窓枠に固定してあることを特徴とする。
【発明の効果】
【０００８】
本発明のうち請求項１の発明によれば、網戸を閉めることで自動的に係止部が網戸框に係止して網戸をロックするので、網戸の自走を確実に防ぐことができる。また、この網戸ロック部品は窓枠に取り付けるものであって、網戸自体には加工を施す必要がないので、網戸を備える既設のサッシに後付けすることも容易である。
【００１０】
本発明のうち請求項２の発明によれば、自走を確実に防いだ網戸を備えるサッシを提供することができる。
【図面の簡単な説明】
【００１１】
【図１】本発明の網戸ロック部品の平面図であり、ロック状態を示す。
【図２】本発明の網戸ロック部品の平面図であり、ロック解除状態を示す。
【図３】ベース部材の斜視図である。
【図４】可動部材の斜視図である。
【図５】網戸ロック部品の斜視図である。
【図６】網戸ロック部品を備えるサッシの平面図である。
【図７】網戸ロック部品を網戸框の見込幅が広い網戸に適用した場合の平面図である。
【図８】従来の網戸のロック装置の説明図である。
【発明を実施するための形態】
【００１２】
以下、本発明の実施の形態を図面に基づいて説明する。この網戸ロック部品は、持ち出し網戸を備えるサッシに取り付けて使用するものである。サッシは、図６に示すように、窓枠１００に二枚の障子１０１を引違いに納めてあって、窓枠１００の室外側に、網戸１１０を持ち出して摺動自在に取り付けてある。そして、左右の窓枠（縦枠）１００の室外側端に、網戸ロック部品１２０を取り付けてある。以下、図１〜図５に基づいて、網戸ロック部品について説明する。なお、左右に取り付けた網戸ロック部品は同じものであるから、以下においては左側の網戸ロック部品について説明するものとし、左右方向とは、図１又は図２中の左右方向を示すものとする。
【００１３】
網戸ロック部品は、図１、図２及び図５に示すように、ベース部材１と、可動部材２と、付勢部材３とを備える。ベース部材１は、図３に示すように、見込方向に延びる平板部１１を有しており、平板部１１の室内側端を右方向へ直角に折り曲げ、さらにその先端を左方向へ折り返して固定部４としてある。固定部４には、上下の二箇所にネジ孔４１を設けてある。平板部１１の略中央には、室内側を底辺として凸形の切り込みを形成してあり、切り込みの内側部分を右側へ直角に引き起こしてベース見付面１２としてある。さらに、ベース見付面１２の先端を室外側に４５度折り曲げて、傾斜面１３を形成してある。また、ベース見付面１２の根元部には、矩形の挿通孔１４を形成してある。そして、平板部１１の室外側部分の上下端を右側に向けてコ字形に折り曲げて、可動部材２の取付溝１５としてある（ただし、実際の製造時には、ベース部材１と可動部材２を組み合わせてから、ベース部材１を折り曲げて取付溝１５を形成する）。
【００１４】
可動部材２は、図４に示すように、見込方向に延びる平板部２１を有しており、平板部２１の室内側端を右方向へ直角に折り曲げて可動見付面２２としてある。さらに、可動見付面２２の上端部分及び下端部分を延長して室内側に湾曲させて、湾曲面２３を形成してある。また、可動見付面２２には、上下の二箇所にコ字形の切り込みを形成してあり（長方形の上下辺と左辺を切り込む向き）、切り込みの内側部分を室外側に略１５度引き起こして係止部５としてある。そして、平板部２１の室内側端（可動見付面２２の根元）の上下中央部に、内側操作部６を設けてあり、内側操作部６は、室内側に延びて途中で右方向へ屈曲している。さらに、平板部２１の室外側端を右方向へ直角に折り曲げて外側操作部７としてある。
【００１５】
そして、ベース部材１と可動部材２とを組み合わせて、網戸ロック部品を構成する。図５に示すように、ベース部材１の上下の取付溝１５に、可動部材２の平板部２１の上下端を嵌めてあって、内側操作部６がベース見付面１２の挿通孔１４に通してある（実際の製造時には、内側操作部６を挿通孔１４に通した後、ベース部材１を折り曲げて取付溝１５を形成する）。そして内側操作部６の先端には、樹脂製で略立方体形の摘み部６１を取り付けてある。このように組み合わせることで、ベース部材１の平板部１１と可動部材２の平板部２１とが平行して、ベース部材１に対して可動部材２が見込方向に摺動自在となる。ただし、その可動範囲は、室外側へは可動見付面２２が取付溝１５の室内側端に当接する位置までであり（図１の状態）、室内側へは内側操作部６が固定部４に当接する位置までである（図２の状態）。そして、ベース見付面１２が室内側に、可動見付面２２が室外側に位置して対向し、その間にコイルバネからなる付勢部材３を取り付けてあって、可動部材２を室外側に付勢している。この付勢部材３により、通常時には、可動部材２が最も室外側に位置する状態（図１の状態）となる。なお、ベース見付面１２の先端部分は、可動見付面２２の上下の湾曲面２３の間に入り込んでいる。
【００１６】
このように構成した網戸ロック部品は、図１及び図２に示すように、固定部４によって、サッシの窓枠１００の室外側端の見付面を挟み込み、室外側からネジ孔４１にネジ４２を螺合して固定する。網戸ロック部品を取り付けると、ベース見付面１２及び可動見付面２２が、網戸１１０の戸先側面に対向する位置に配置される。そして、網戸框（縦框）１１１は戸先側面に溝１１２を有しており、溝１１２の室外側壁の戸先側端が室内側に屈曲していて、被係止部８となっている。この網戸１１０を左方向に閉めると、ベース見付面１２及び可動見付面２２が、網戸框１１１の溝１１２に呑み込まれる。その際、ベース見付面１２の先端が室外側に傾斜する傾斜面１３となっており、また可動見付面２２の先端が室内側に湾曲する湾曲面２３となっているから、溝１１２の入口が引っ掛かることがなく、ベース見付面１２及び可動見付面２２がスムーズに溝１１２に進入する。そして、可動見付面２２が溝１１２に進入すると、網戸框１１１の被係止部８が、可動見付面２２の係止部５に当接する。係止部５は、右側から当接する被係止部８に対して、緩やかに傾斜して徐々に室外側に突出する形状となっている。よって、網戸１１０を閉めていくと、被係止部８が係止部５に乗り上げ、可動部材２が付勢部材３の付勢力に逆らって徐々に室内側に押されていく。さらに網戸１１０を閉めると、被係止部８が係止部５を乗り越えて係止部５の左側に到達し、可動部材２は付勢部材３の付勢力によって再び室外側に押し戻される。すると、係止部５が被係止部８を右側から係止するので、網戸１１０を開けることができなくなる（図１の状態）。すなわち、網戸１１０を閉めることで、網戸１１０が自動的にロックされる。そして、この状態から再び網戸１１０を開けるには、室内側から内側操作部６を引くか、室外側から外側操作部７を押して、可動部材２を付勢部材３の付勢力に逆らって室内側に摺動させる（図２の状態）。すると、係止部５が被係止部８から離れて係止が解除されるので、その状態を保持したまま、網戸１１０を開ければよい。
【００１７】
この網戸ロック部品１２０は、図６に示すように、サッシの左右両端に取り付けて使用する。このようにすることで、網戸１１０をサッシの左側と右側のどちら側に閉めた場合でも、自動的にロックされることになる。
【００１８】
このように、本発明の網戸ロック部品によれば、網戸を閉めることで自動的に係止部が網戸框に係止して網戸をロックするので、高層階などの風が強い場所であっても、網戸の自走を確実に防ぐことができる。また、この網戸ロック部品は窓枠に取り付けるものであって、網戸自体には加工を施す必要がないので、網戸を備える既設のサッシに後付けすることも容易である。さらに、室外側にも操作部を設けたことにより、ベランダなど人が出入りする窓に網戸を取り付けた場合において、室外側からでも網戸のロックを解除することができる。
【００１９】
なお、本発明の網戸ロック部品においては、可動部材２において、可動見付面２２と、外側操作部７との間を広く作ってある。このようにすることで、図７に示すように、網戸框１１１ａの見込幅が広い網戸１１０ａに適用した場合でも、外側操作部７が網戸框１１１ａに干渉することがない。そしてこの場合でも、網戸１１０ａを閉めると、網戸框１１１ａの溝１１２ａにベース見付面１２及び可動見付面２２が呑み込まれ、係止部５が被係止部８ａを係止して、網戸１１０ａを自動的にロックする。
【００２０】
本発明は、上記の実施形態に限定されない。たとえば、ベース部材は、窓枠に固定できるものであって、可動部材を摺動自在に保持できるものであればよい。よって、固定部の形状は、窓枠の形状に合わせて自由に設計できるし、付勢部材を支持できる構造があれば、必ずしもベース見付面を有していなくてもよい。また、可動部材は、ベース部材に対して摺動自在に取り付けるものであって、係止部を有しているものであればよい。よって、内側操作部及び外側操作部については、操作のしやすさや周囲の干渉物の影響を考慮して自由に設計できるし、付勢部材を支持できる構造があれば、必ずしも可動見付面を有していなくてもよい。さらに、付勢部材は、コイルバネのほかに、板バネなどであってもよい。
【符号の説明】
【００２１】
１  ベース部材
２  可動部材
３  付勢部材
４  固定部
５  係止部
６  内側操作部
７  外側操作部
１００  窓枠
１１０  網戸
１１１  網戸框
１１２  溝
１２０  網戸ロック部品
【図１】
0005717568.tif 000002
【図２】
0005717568.tif 000003
【図３】
0005717568.tif 000004
【図４】
0005717568.tif 000005
【図５】
0005717568.tif 000006
【図６】
0005717568.tif 000007
【図７】
0005717568.tif 000008
【図８】
0005717568.tif 000009